(57)【要約】【課題】投入電力に対する動作効率を向上した開閉機構を提供する。【解決手段】情報記憶媒体が挿抜される挿入口１２をフロントケース１０に有する筺体と、鉛直方向に移動可能なプランジャ３２を有し、通電時にプランジャ３２を上方に駆動させる、筺体の内部に収容されたソレノイド３０と、プランジャ３２の上方への駆動にしたがって、挿入口１２へのカードの挿抜を規制する閉状態から、挿入口１２へのカードの挿抜を可能とする開状態に、状態が遷移するカバー２０と、を備えている。【選択図】図５
2014085878.tif 000002
【特許請求の範囲】
【請求項１】
情報記憶媒体が挿抜される挿入口を一側壁に有する筺体と、
鉛直方向に移動可能なプランジャを有し、通電時に前記プランジャを鉛直方向における一方の向きである駆動向きに駆動させる、前記筺体の内部に収容されたソレノイドと、
前記プランジャの前記駆動向きへの駆動にしたがって、前記挿入口への前記情報記憶媒体の挿抜を規制する閉状態から、前記挿入口への前記情報記録媒体の挿抜を可能とする開状態に、状態が遷移する規制部材と、
を備えることを特徴とする開閉機構。
【請求項２】
前記ソレノイドが、前記一側壁に対して固定されている、
ことを特徴とする請求項１に記載の開閉機構。
【請求項３】
前記一側壁に対して回転軸が固定された回動部材を更に備え、
該回動部材は、一方の端部が前記プランジャに接続されて該プランジャの移動にしたがって前記回転軸を中心に回動し、且つ、他方の端部が前記規制部材に形成された被係止部に係止される係止部を有し、
前記プランジャの前記駆動向きへの駆動に伴う前記回動部材の回動にしたがって、前記規制部材の状態が、前記係止部と前記被係止部とが係止された前記閉状態から、前記係止部と前記被係止部との係止が解除された前記開状態に、遷移する、
ことを特徴とする請求項１又は請求項２に記載の開閉機構。
【請求項４】
前記一側壁と対向して配置されて該一側壁と前記ソレノイドとの間に介在する回路基板を更に備え、
前記筺体は、前記一側壁から前記ソレノイド側に突設された位置決め部材を有し、
前記ソレノイドは、前記位置決め部材が挿入される挿入穴を有し、
前記回路基板は、前記位置決め部材が挿通される挿通孔を有し、
前記位置決め部材が、前記挿通孔に挿通され、且つ前記挿入穴に挿入されることにより、前記一側壁に対して前記ソレノイドと前記回路基板とが位置決めされる、
ことを特徴とする請求項１〜請求項３のいずれか１項に記載の開閉機構。
【請求項５】
前記回路基板には、該回路基板の一面側から他面側へ前記回動部材が通過する通過孔が形成されている、
ことを特徴とする請求項４に記載の開閉機構。
【請求項６】
前記回動部材が、棒状に形成され、前記規制部材の状態が前記閉状態であるときに、長手方向が前記一側壁の法線方向と一致するように、該一側壁に前記回転軸が固定されている、
ことを特徴とする請求項３〜請求項５のいずれか１項に記載の開閉機構。
【発明の詳細な説明】
【技術分野】
【０００１】
本発明は、開閉機構に関する。
【背景技術】
【０００２】
挿入口から挿入された情報記憶媒体に情報を書き込む機能を有する情報書込装置が知られている。この種の情報書込装置としては、例えば、車載電子機器としてのデジタルタコグラフ（車両運行情報収集装置）がある。一般的なデジタルタコグラフでは、情報記憶媒体として、ＣＦ（CompactFlash）（登録商標）カードやＳＤ（Secure Digital）カード等の記憶カードが用いられる。
【０００３】
このような情報書込装置としてのデジタルタコグラフの中には、情報記憶媒体への書き込み時に乗務員等が情報記憶媒体を抜き取らないようにするためのカバー、及び当該カバーを開閉するための開閉機構を備えることにより、記録書き込み不良を未然に防ぐことができるものがある（例えば、特許文献１参照。）。
【先行技術文献】
【特許文献】
【０００４】
【特許文献１】特開２００８−９５９２号公報
【発明の概要】
【発明が解決しようとする課題】
【０００５】
まず、特許文献１に開示された従来の開閉機構について説明する。図６は特許文献１に開示された従来のデジタルタコグラフ１００の外観斜視図、図７はその要部における縦断面図である。
【０００６】
このデジタルタコグラフ１００は、直方体状の筐体１０１を有しており、筐体１０１の前側壁を構成するフロントケース１０２には、カード状の情報記憶媒体（ＣＦカードやＳＤカード等のカードであり、以下においては単に「カード」と称する場合がある。）Ｃが挿抜されるスリット状の挿入口１０３が形成されている。
【０００７】
また、フロントケース１０２の前面には、フロントケース１０２の幅方向Ｗにスライド可能なカバー（規制部材）１０４が設けられている。このカバー１０４は、挿入口１０３を覆うことにより挿入口１０３へのカードＣの挿抜を規制する閉位置と、挿入口１０３を開放して挿入口１０３に対するカードＣの挿抜を可能とする開位置との間でスライド移動可能に構成されている。
【０００８】
カバー１０４は、図示略の付勢部材によって開位置に向けて付勢されている。そして、開位置から閉位置にスライドさせるときには、使用者の手作業によって、付勢方向とは反対方向にカバー１０４をスライドさせる。そうすると、カバー１０４の係止部（図示せず。）が、筐体１０１側に設けられた係止突起１０５に係合することで、カバー１０４が閉位置に保持される。
【０００９】
また、カバー１０４の閉位置から開位置への駆動には、ソレノイド１０６が用いられる。即ち、ソレノイド１０６を通電状態として、ソレノイド１０６のプランジャ１０７を図７中の左方向に引き移動させると、プランジャ１０７に接続された筐体１０１側の係止突起１０５も当該方向に移動する。これにより、カバー１０４の係止部と筐体１０１側の係止突起１０５との係合が解除されて、カバー１０４が付勢部材（図示せず。）の付勢力によって開位置まで移動する。
【００１０】
この場合の筐体１０１側の係止突起１０５は、筐体１０１の内部に台座等を用いて横置きで（即ち、プランジャの移動方向を水平方向とした姿勢で。）収容されたソレノイド１０６のプランジャ１０７の先端に設けられている。
【００１１】
特許文献１に開示された従来のデジタルタコグラフ１００では、以上説明したように、ソレノイド１０６を用いた開閉機構により、カバー１０４が開閉される。
【００１２】
これに対して、近年では、ソレノイドへの投入電力に対する動作効率を向上した開閉機構が求められている。
【００１３】
本発明は、上述した事情に鑑みてなされたものであり、その目的は、投入電力に対する動作効率を向上した開閉機構を提供することにある。
【課題を解決するための手段】
【００１４】
前述した目的を達成するために、本発明に係る開閉機構は、下記（１）〜（９）を特徴としている。
（１）  情報記憶媒体が挿抜される挿入口を一側壁に有する筺体と、
鉛直方向に移動可能なプランジャを有し、通電時に前記プランジャを鉛直方向における一方の向きである駆動向きに駆動させる、前記筺体の内部に収容されたソレノイドと、
前記プランジャの前記駆動向きへの駆動にしたがって、前記挿入口への前記情報記憶媒体の挿抜を規制する閉状態から、前記挿入口への前記情報記録媒体の挿抜を可能とする開状態に、状態が遷移する規制部材と、
を備えること。
（２）  上記（１）の構成の開閉機構であって、
前記ソレノイドが、前記一側壁に対して固定されている、
こと。
（３）  上記（１）又は（２）の構成の開閉機構であって、
前記一側壁に対して回転軸が固定された回動部材を更に備え、
該回動部材は、一方の端部が前記プランジャに接続されて該プランジャの移動にしたがって前記回転軸を中心に回動し、且つ、他方の端部が前記規制部材に形成された被係止部に係止される係止部を有し、
前記プランジャの前記駆動向きへの駆動に伴う前記回動部材の回動にしたがって、前記規制部材の状態が、前記係止部と前記被係止部とが係止された前記閉状態から、前記係止部と前記被係止部との係止が解除された前記開状態に、遷移する、
こと。
（４）  上記（１）〜（３）のいずれか１つの構成の開閉機構であって、
前記一側壁と対向して配置されて該一側壁と前記ソレノイドとの間に介在する回路基板を更に備え、
前記筺体は、前記一側壁から前記ソレノイド側に突設された位置決め部材を有し、
前記ソレノイドは、前記位置決め部材が挿入される挿入穴を有し、
前記回路基板は、前記位置決め部材が挿通される挿通孔を有し、
前記位置決め部材が、前記挿通孔に挿通され、且つ前記挿入穴に挿入されることにより、前記一側壁に対して前記ソレノイドと前記回路基板とが位置決めされる、
こと。
（５）  上記（４）の構成の開閉機構であって、
前記ソレノイド及び前記回路基板が、前記一側壁及び前記回路基板を貫通する１本のネジにより、前記一側壁に対して固定される、
こと。
（６）  上記（４）又は（５）の構成の開閉機構であって、
前記回路基板には、該回路基板の一面側から他面側へ前記回動部材が通過する通過孔が形成されている、
こと。
（７）  上記（３）〜（６）のいずれか１つの構成の開閉機構であって、
前記回動部材が、棒状に形成され、前記規制部材の状態が前記閉状態であるときに、長手方向が前記一側壁の法線方向と一致するように、該一側壁に前記回転軸が固定されている、
こと。
（８）  上記（１）〜（７）のいずれか１つの構成の開閉機構であって、
前記プランジャを鉛直方向における前記駆動向きとは反対の向きに付勢する第１の付勢部材を更に備える、
こと。
（９）  上記（１）〜（８）のいずれか１つの構成の開閉機構であって、
前記規制部材を、該規制部材が前記開状態となる開位置に向けて付勢する第２の付勢部材を更に備える、
こと。
【００１５】
上記（１）の構成の開閉機構では、ソレノイドが筐体の内部に縦置きで（即ち、プランジャの移動方向を鉛直方向に向けた姿勢で。）収容されるので、プランジャ駆動時の摩擦ロスが少ない。これにより、駆動時における電圧値及び電流値が低減される。
また、ソレノイドはプランジャの移動方向に外形寸法が大きい部材であるが、上記（１）の構成の開閉機構では、プランジャの移動方向が鉛直方向であることから、ソレノイドの水平方向における設置スペースを小さくすることができ、筐体の奥行き寸法の縮小を図ることができる。
また、上記（１）の構成の開閉機構では、ソレノイドが縦置きで収容されていることから、情報記憶媒体が挿抜される挿入口が形成された筐体の一側壁に対してソレノイドを固定し易い構造を採用することができる。
上記（２）の構成の開閉機構では、ソレノイドが、情報記憶媒体が挿抜される挿入口が形成された一側壁（筺体）に対して直接固定される。このため、ソレノイドと一側壁との間の組み付け誤差を小さくすることができ、ソレノイドの動作ロスが低減される。
上記（３）の構成の開閉機構では、一側壁に回転軸が固定され、プランジャの駆動に伴って回動する回動部材により、規制部材の状態の閉状態から開状態への遷移が実現される。
上記（４）の構成の開閉機構では、一側壁（筺体）に形成された位置決め部材により、一側壁（筺体）に対してソレノイドと回路基板とが位置決めされる。これにより、各部材の寸法関係は、全て一側壁（筺体）を基準として構成され、寸法精度が向上する。
上記（５）の構成の開閉機構では、ソレノイド及び回路基板が、一側壁及び回路基板を貫通する１本のネジにより、一側壁に対して固定されるので、一側壁（筺体）に対してソレノイドと回路基板とが位置決めされて固定され、寸法精度が向上する。また、１本のネジにより固定が実現されるため、部品点数や組付に要する手間を削減することができる。
上記（６）の構成の開閉機構では、回路基板は、当該回路基板の一面側から他面側へ回動部材が通過する通過孔を有しているため、一側壁とソレノイドとの間に介在するように配置されたとしても、回動部材の回動を妨げ難く、ソレノイドや回動部材の配置による形状への影響を受け難い。このため、開閉機構のサイズを小さくすることができる。
上記（７）の構成の開閉機構では、回動部材が、規制部材の状態が閉状態であるときに、当該回動部材の長手方向が一側壁の法線方向と一致するように、当該一側壁に回転軸が固定されているため、回動部材の一方の端部が接続されるプランジャの先端と、回動部材の他方の端部における係止部が係止される規制部材の被係止部とが、一側壁の延在方向と垂直な方向である当該法線方向において並ぶように配置される。したがって、開閉機構の当該一側壁の延在方向におけるサイズを小さくすることができる。
上記（８）の構成の開閉機構では、第１の付勢部材により、駆動向きとは反対の向きにプランジャが付勢されているため、ソレノイドの非通電時にプランジャが駆動向きとは反対側に配置されるように、当該プランジャに付勢力が作用する。
上記（９）の構成の開閉機構では、第２の付勢部材により、規制部材が開位置に向けて付勢されているため、規制部材に他に力が作用していない場合に規制部材の状態が開状態となるように、規制部材に付勢力が作用する。
【発明の効果】
【００１６】
本発明によれば、投入電力に対する動作効率を向上した開閉機構を提供できる。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】図１は、本発明の実施形態に係るデジタルタコグラフの前側部分の外観斜視図である。
【図２】図２は、同デジタルタコグラフのフロントケース１０にカバー２０を取り付けた部分の分解説明図で、図２（ａ）は右前側から視た斜視図、図２（ｂ）は左前側から視た斜視図である。
【図３】図３は、同フロントケース１０に対する各部品の取付要領を説明するための分解斜視図である。
【図４】図４は、同フロントケース１０にカバー２０を取り付けた状態を示す図であり、図４（ａ）は正面図、図４（ｂ）は側面図、図４（ｃ）は図４（ａ）のＩＶｃ−ＩＶｃ矢視断面図である。
【図５】図５は、同フロントケース１０に取り付けられたカバー２０とロックレバー４０とソレノイド３０との関係を、フロントケース１０を除いて示す斜視図である。
【図６】図６は、従来例として示すデジタルタコグラフ１００の外観斜視図である。
【図７】図７は、図６の要部縦断面図である。
【発明を実施するための形態】
【００１９】
本発明に係る開閉機構を備える情報書込装置の具体的な実施形態について、各図を参照しながら以下に説明する。
【００２０】
図１は実施形態のデジタルタコグラフのフロント部分の外観斜視図、図２はフロントケース１０にカバー２０を取り付けた部分の分解説明図、図３はフロントケース１０に対する部品の取付要領を説明するための分解斜視図、図４（ａ）はフロントケース１０にカバー２０を取り付けた部分の正面図、図４（ｂ）は側面図、図４（ｃ）は図４（ａ）のＩＶｃ−ＩＶｃ矢視断面図、図５はフロントケース１０に取り付けられたカバー２０とロックレバー４０とソレノイド３０との関係をフロントケース１０を除いて示す斜視図である。
以下、本明細書中では、図１中に矢印で示すように前側、後側、上側、下側、左側、右側を規定して説明する。
【００２１】
実施形態に係る情報書込装置であるデジタルタコグラフは、図１〜図４に示すように、全体の図示を省略するが、直方体状の筐体の前側壁（一側壁）を構成するフロントケース（前面パネル）１０を有しており、このフロントケース１０の前面の所定位置に形成された正面視長方形状の凹部１１の内底面に、図示しないカード状の情報記憶媒体（ＣＦカードやＳＤカード等のカードであり、以下においては単に「カード」と称する場合がある。）が挿抜されるスリット状の挿入口１２を備えている。カードは、このスリット状の挿入口１２に対して、略水平な姿勢で挿入したり抜き出したり可能に構成されている。
【００２２】
フロントケース１０の凹部１１には、挿入口１２を開閉するカバー２０（規制部材）が上下方向に回動自在に設けられている。カバー２０は、カードが挿入された挿入口１２を覆うことにより挿入口１２に対するカードの挿抜を規制する閉位置（図１の位置）と、挿入口１２を開放して挿入口１２に対するカードの挿抜を可能とする開位置との間で回動可能に構成されている。以下では、カバー２０の姿勢が閉位置にある場合をカバー２０の状態が閉状態であると称し、カバー２０の姿勢が開位置にある場合をカバー２０の状態が開状態であると称する場合がある。
【００２３】
このカバー２０は、フロントケース１０の凹部１１に嵌合される外形状を有する板状の部材である。カバー２０は、図２に示すように、幅方向の両側縁の下部に突設された一対の凸軸部２１、２２が、フロントケース１０の凹部１１の幅方向両端に形成された一対の軸穴部１３、１４に嵌入することにより、フロントケース１０に対して上下方向に回動自在に取り付けられている。
【００２４】
また、このカバー２０の一方の凸軸部２１には、捩りバネ（第２の付勢部材）２５が嵌装されている。カバー２０は、捩りバネ２５の一端がフロントケース１０側に当接し、他端がカバー２０側に当接していることにより、カバー２０が下方に略水平に倒れた姿勢となる開位置に向けて（即ち、図１中の矢印Ａ３方向に向けて。）回動付勢されている。即ち、捩りバネ２５は、カバー２０を、カバー２０が開状態となる開位置に向けて付勢している。
【００２５】
そして、カバー２０を開位置から閉位置まで回動させる際には、使用者の手作業によって、付勢方向とは反対方向にカバー２０が持ち上げられる。そうすると、カバー２０が後述するロックレバー４０によってロック（係止）されて閉位置に保持される。また、当該ロックレバー４０によるロックが解除されると、カバー２０が捩りバネ２５の復元力によって開位置まで回動する。
【００２６】
フロントケース１０の後側（筐体の内部側）には、図３〜図５に示すように、カバー２０を閉位置にロックするためのロックレバー４０と、プランジャ３２を駆動させることでロックレバーによるロックを解除するソレノイド３０と、電気回路を搭載した回路基板５０と、が配置されている。後述するように、ロックレバー４０とソレノイド３０と回路基板５０は全て、カバー２０と共にフロントケース１０に取り付けられている。
【００２７】
ソレノイド３０は、箱型に形成された本体３１に通電することで、当該本体３１内部に一部が収容された棒状のプランジャ３２を直線状に移動させる公知の駆動機構である。ソレノイド３０は、デジタルタコグラフが車両に搭載された状態においてプランジャ３２の移動方向が鉛直方向となるように、筺体の内部に収容されている。本実施形態に係るソレノイド３０は、非通電時にプランジャ３２を自重により下方側に位置させ、且つ、通電による駆動時にプランジャ３２を駆動向きである上方に（即ち、図５中の矢印Ａ１の向きに。）引き上げることができるように、プランジャ３２を下向きにした姿勢で配置されている。
【００２８】
ロックレバー（回動部材）４０は、棒状に形成され、図４（ｂ）、図４（ｃ）及び図５に示すように、ソレノイド３０のプランジャ３２とカバー２０との間に配置され、長手方向の中間に突設された左右の凸軸（回転軸）４１がフロントケース１０の内面に設けられた軸受部１６に挿入されることにより、フロントケース１０に回動可能に支持されている。
【００２９】
また、ロックレバー４０は、長手方向の一端部（後端）４２がプランジャ３２の先端（下端）のピン３４に係合されており（即ち、プランジャ３２に接続されており）、プランジャ３２の移動にしたがって回動する。
【００３０】
また、ロックレバー４０は、長手方向の他端部（前端）４３に、カバー２０の内面に突設された下向きにＬ字形に曲がった係止フック（被係止部）２６に下方から引っ掛かる係止爪（係止部）４４を有している。係止爪は、図４（ｃ）及び図５に示すように、上向きにＬ字形に曲がった形状を有している。これら係止フック２６と係止爪４４とが係合することにより、ロックレバー４０とカバー２０とがロックされる。尚、カバー２０の係止フック２６は、カバー２０が閉位置にあるときに、フロントケース１０の凹部１１の内底面に形成された貫通孔１５（図２参照。）を貫通して裏側に突出し、ロックレバー４０の係止爪４４に対して係合できるように設けられている。
【００３１】
また、ロックレバー４０は、カバー２０の状態が閉状態であるときに、ロックレバー４０の長手方向が前後方向に沿うように、即ち、ロックレバー４０の長手方向がフロントケース１０の法線方向と一致するように、組み付けられている。
【００３２】
ソレノイド３０の本体３１とプランジャ３２のピン３４の間には、コイルスプリング（第１の付勢部材）３３が介装されている。コイルスプリング３３は、プランジャ３２をプランジャ３２の駆動向き（上方）とは反対の向き（下方）に付勢している。
【００３３】
回路基板５０は、フロントケース１０と対向するように配置され、フロントケース１０の内面と、縦置きされたソレノイド３０との間に介在している。また、この回路基板５０には、カバー２０の状態が閉状態であるときに、回路基板５０の前面側（一面側）から後面側（他面側）へロックレバー４０が通過する、切欠状の通過孔５５が設けられている。
【００３４】
フロントケース１０とソレノイド３０と回路基板５０とは、フロントケース１０の内面に突設された位置決めボス（位置決め部材）１８が、回路基板５０に穿設された挿通孔５１及びソレノイド３０の本体３１の前面に形成された挿入穴（図示せず。）に嵌入されることにより、互いに位置決めされている。即ち、位置決めボス１８が、挿通孔５１に挿通され、且つ挿入穴に挿入されることにより、フロントケース１０に対してソレノイド３０と回路基板５０とが位置決めされている。
【００３５】
また、ソレノイド３０と回路基板５０とは、フロントケース１０に穿設された固定ボス１７の貫通孔１７ａ及び回路基板５０に穿設された貫通孔５２に挿通されたネジ１９の先端が、ソレノイド３０の本体３１の前面に形成された固定穴３１ａに螺合されることによって、フロントケース１０に対して位置決めされると共に固定されている。このように、ソレノイド３０は、フロントケース１０に対して固定されている。また、ネジ１９は、フロントケース１０及び回路基板５０を貫通している。尚、フロントケース１０の前面側の固定ボス１７の位置には、ネジ１９を収容するための凹部１７ｂが設けられている。
【００３６】
次に、本実施形態に係る開閉機構の動作について説明する。
【００３７】
はじめに、カバー２０を開状態から閉状態に遷移させる場合について説明する。
開状態においては、カバー２０は、捩りバネ２５の作用によって、開位置に向けて（即ち、図１中の矢印Ａ３方向に向けて。）回動付勢されている。また、開状態においては、ソレノイド３０は非導通状態とされている。カバー２０を開状態から閉状態に遷移させる場合には、この開状態から、使用者がカバー２０を閉位置まで回動させると、カバー２０の係止フック２６とロックレバー４０の係止爪４４とが係合する。これにより、カバー２０が閉位置において保持され、閉状態となる。
【００３８】
したがって、挿入口１２からカードを挿入した後、カバー２０を閉位置に回動させることにより、挿入口１２をカバー２０で覆うことができ、書き込み処理途中における挿入口１２からのカードの抜き取りを禁止することができる。
【００３９】
この閉位置でのロック状態は、ロックレバー４０が、ソレノイド３０のプランジャ３２の自重とコイルスプリング３３の弾性力によって付勢されていることにより、保持される。即ち、コイルスプリング３３の弾性力が、図５中の矢印Ａ１とは反対の方向に作用しているために、ロックレバー４０が、図５中の矢印Ａ２とは反対の方向に回動付勢されている。このため、ロックレバー４０がロック解除方向である図５中の矢印Ａ３の方向に回動し難くなっている。
【００４０】
次に、カバー２０を閉状態から開状態に遷移させる場合について説明する。
使用者は、カバー２０のロックを外す場合には、ソレノイド３０に通電する。そうすると、プランジャ３２が図５中の矢印Ａ１方向に引き上げられ、ロックレバー４０が矢印Ａ２に示すようにロック解除方向に回動して、カバー２０の係止フック２６とロックレバー４０の係止爪４４との係合が解除され、ロックレバー４０が開位置に移動できる状態となる。そして、捩りバネ２５によって開位置に向けて付勢されているカバー２０は、ロックが解除されることによって、図５中の矢印Ａ３方向に向けて自動的に回動して開位置まで姿勢が変化する。これにより、カバー２０が閉状態から開状態に遷移する。
【００４１】
このように、ソレノイド３０が通電されてプランジャ３２が駆動向き（上方）に駆動されると、ロックレバー４０が回動し、当該ロックレバー４０の回動にしたがって、カバー２０の状態が、係止フック２６と係止爪４４とが係止された閉状態から、係止フック２６と係止爪４４との係止が解除された閉状態に遷移する。
【００４２】
以下では、実施形態に係るデジタルタコグラフが備える開閉機構の作用及び効果を説明する。
【００４３】
本実施形態に係る開閉機構は、カード（情報記憶媒体）が挿抜される挿入口１２をフロントケース（一側壁）１０に有する筺体と、鉛直方向に移動可能なプランジャ３２を有し、通電時にプランジャ３２を上方に（即ち、鉛直方向における一方の向きである駆動向きに。）駆動させる、筺体の内部に収容されたソレノイド３０と、プランジャ３２の上方への駆動にしたがって、挿入口１２へのカードの挿抜を規制する閉状態から、挿入口１２へのカードの挿抜を可能とする開状態に、状態が遷移するカバー（規制部材）２０と、を備えている。
ところで、図６及び図７に示した特許文献１に開示されている従来の開閉機構では、ソレノイド１０６のプランジャ１０７の移動方向が水平方向であるので、プランジャ１０７の駆動時の摩擦ロスが大きくなり易く、その分だけ駆動時の電圧値や電流値が大きくなる虞があった。
これに対して、本実施形態に係る開閉機構では、ソレノイド３０が筐体の内部に縦置きで（即ち、プランジャ３２の移動方向を鉛直方向に向けた姿勢で。）収容されているので、従来例のようにソレノイド３０が横置きで（即ち、プランジャ３２の移動方向を水平方向に向けた姿勢で。）収容されている場合と比べて、プランジャ３２駆動時の摩擦ロスが少ない。これにより、駆動時における電圧値及び電流値が低減される。
したがって、本実施形態に係る開閉機構によれば、投入電力に対する動作効率を向上した開閉機構を提供できる。
さらに、本実施形態に係る開閉機構では、ソレノイド３０はプランジャ３２の移動方向に外形寸法が大きくなるが、プランジャ３２の移動方向が鉛直方向であることから、ソレノイド３０の水平方向の設置スペースを小さくすることができ、筐体の奥行き寸法の縮小を図ることができる。また、ソレノイド３０が縦置きで収容されていることから、フロントケース１０に対してソレノイド３０を固定し易い構造を採用することができる。
【００４４】
また、本実施形態に係る開閉機構では、ソレノイド３０が、フロントケース１０に対して固定されている。
図６及び図７に示した特許文献１に開示されている開閉機構では、ソレノイド１０６のプランジャ１０７の移動方向が水平方向であるので、ソレノイド１０６は、一般的に、フロントケース１０２とは別体に形成された、筐体１０１の底壁１０８に取り付けられる。この場合には、ソレノイドは、底壁１０８に取付けられる台座を介して底壁１０８に固定されることが多い。このため、ソレノイド１０６からカバー１０４までに生じる組み付け誤差が大きくなり易く、ソレノイド１０６の動作ロスが大きくなる虞があった。動作ロスが大きくなると、理想値以上の駆動力を有したソレノイド１０６を用いる必要が生じる。
これに対して、本実施形態に係る開閉機構では、ソレノイド３０が、フロントケース１０に対して固定されているため、ソレノイド３０とフロントケース１０との間の組み付け誤差を小さくすることができ、ソレノイドの動作ロスが低減される。また、ソレノイドの取付けに用いられていた台座を省くことができ、部品点数を削減することができる。
【００４５】
また、本実施形態に係る開閉機構は、フロントケース１０に対して凸軸（回転軸）４１が固定された棒状のロックレバー（回動部材）４０を更に備えている。そして、ロックレバー４０は、ロックレバー４０の長手方向における一方の端部（後端部）がプランジャ３２に接続されてプランジャ３２の移動にしたがって回動し、且つ、カバー２０に形成された係止フック（被係止部）２６に係止される係止爪（係止部）４４を他方の端部（前端部）に有し、プランジャ３２の上方への駆動に伴うロックレバー４０の回動にしたがって、カバー２０の状態が、係止爪４４と係止フック２６とが係止された閉状態から、係止爪４４と係止フック２６との係止が解除された開状態に、遷移する。
これにより、平易な構造によって、カバー２０の状態の閉状態から開状態への遷移が実現される。
【００４６】
また、本実施形態に係る開閉機構は、フロントケース１０と対向して配置されてフロントケース１０とソレノイド３０との間に介在する回路基板５０を更に備えている。また、筺体は、フロントケース１０からソレノイド３０側に突設された位置決めボス（位置決め部材）１８を有し、ソレノイド３０は、位置決めボス１８が挿入される挿入穴を有し、回路基板５０は、位置決めボス１８が挿通される挿通孔５１を有している。そして、位置決めボス１８が、挿通孔５１に挿通され、且つソレノイド３０の挿入穴に挿入されることにより、フロントケース１０に対してソレノイド３０と回路基板５０とが位置決めされている。
これにより、フロントケース１０、ソレノイド３０、及び回路基板５０の寸法関係が、全てフロントケース１０を基準として構成され、寸法精度が向上する。
【００４７】
また、本実施形態に係る開閉機構では、ソレノイド３０及び回路基板５０が、フロントケース１０及び回路基板５０を貫通する１本のネジ１９により、フロントケース１０に対して固定されている。
これにより、フロントケース１０に対してソレノイド３０と回路基板５０とが位置決めされて固定されるため、寸法精度が向上する。また、１本のネジにより固定が実現されるため、部品点数や組付に要する手間を削減することができる。
【００４８】
また、本実施形態に係る開閉機構は、回路基板５０には、回路基板５０の一面側（前面側）から他面側（後面側）へロックレバー４０が通過する通過孔５５が形成されている。
このため、回路基板５０は、フロントケース１０とソレノイド３０との間に介在するように配置されたとしても、ロックレバー４０の回動を妨げ難く、ソレノイド３０やロックレバー４０の配置による形状への影響を受け難い。このため、開閉機構のサイズを小さくすることができる。
【００４９】
また、本実施形態に係る開閉機構では、ロックレバー４０は、カバー２０の状態が閉状態であるときに、ロックレバー４０の長手方向がフロントケース１０の法線方向と一致するように、凸軸４１がフロントケース１０に固定されている。
これにより、ロックレバー４０の後端４２が接続されるプランジャのピン３４と、前端４３における係止爪４４が係止される係止フック２６とが、フロントケース１０の延在方向（上下方向）と垂直な方向（前後方向）において並ぶように配置される。したがって、開閉機構の上下方向におけるサイズを極力小さくすることができる。
【００５０】
また、本実施形態に係る開閉機構は、鉛直方向におけるプランジャ３２の駆動向き（上方）とは反対の向きである下方に付勢するコイルスプリング（第１の付勢部材）３３を更に備えている。
これにより、ロックレバー４０が図５中の矢印Ａ２とは反対の方向に回動付勢され、ロックレバー４０がロック解除方向である図５中の矢印Ａ３の方向に回動し難くなっている。このため、カバー２０が閉位置でのロック状態にて保持され易い。
【００５１】
また、本実施形態に係る開閉機構は、カバー２０を、カバー２０が開状態となる開位置に向けて付勢する捩りバネ（第２の付勢部材）を更に備えている。
これにより、カバー２０の係止フック２６とロックレバー４０の係止爪４４との係合が解除されてロックが解除された場合に、カバー２０が図５中の矢印Ａ３方向に向けて自動的に回動して開位置まで移動し、カバー２０の状態が閉状態から開状態に遷移する。
【００５２】
尚、本発明の技術的範囲は、上述した実施形態に限定されるものではない。上述した実施形態は、本発明の技術的範囲内で種々の変形や改良等を伴うことができる。
【００５３】
例えば、上記実施形態では、ソレノイド３０を、プランジャ３２の向きが下向きとなる姿勢で（即ち、通電時にプランジャ３２を鉛直方向における一方の向きである上方に駆動させるように。）配置したが、カバー２０の位置やソレノイド３０の位置によっては、その逆に、ソレノイド３０を、プランジャ３２の向きが上向きとなる姿勢で（即ち、通電時にプランジャ３２を鉛直方向における他方の向きである下方に駆動させるように。）配置してもよい。
【符号の説明】
【００５４】
１０  フロントケース（一側壁）
１２  挿入口
１６  軸受部
１８  位置決めボス（位置決め部材）
１９  ネジ
２０  カバー（規制部材）
２５  捩りバネ（第２の付勢部材）
２６  係止フック（被係止部）
３０  ソレノイド
３２  プランジャ
３３  コイルスプリング（第１の付勢部材）
４０  ロックレバー（回動部材）
４１  凸軸（回転軸）
４２  一端部
４３  他端部
４４  係止爪（係止部）
５０  回路基板
５１  挿通孔
５２  貫通孔
５５  通過孔
【図１】
2014085878.tif 000003
【図２】
2014085878.tif 000004
【図３】
2014085878.tif 000005
【図４】
2014085878.tif 000006
【図５】
2014085878.tif 000007
【図６】
2014085878.tif 000008
【図７】
2014085878.tif 000009